(57)【要約】【課題】騒音も小さくメンテナンスの頻度を大幅に軽減するとともに、寿命の長い、かつ、これまで対応しきれなかった給水圧力の低い場所においても充分なシャワー流量の確保が出来る給水加圧装置を提供することを目的としたものである。【解決手段】直流ブラシレスモータで構成されている給水加圧ポンプ２２と、給水加圧ポンプ２２を商用電源で駆動するための電圧変換装置２３と、前記給水加圧ポンプ２２の運転及び停止を行なう運転スイッチ２７ａを備え、別設の湯沸器へ接続することにより低水圧地域においても安定した流量の給湯が得られるようにした給水加圧装置。【選択図】　図１
2004011484.tif 000002
【特許請求の範囲】
【請求項１】
入水部と、前記入水部での入水を検知する入水検知スイッチと、出水部と、入水部より入った水を前記出水部より加圧して出水する直流ブラシレスモータにより駆動される給水加圧ポンプと、給水加圧ポンプを商用電源で駆動するための電圧変換装置と、前記給水加圧ポンプの運転及び停止を行なう運転スイッチを備え、前記運転スイッチは入水検知スイッチと連動する構成とした給水加圧装置。
【請求項２】
給水加圧ポンプの異常運転時に、前記給水加圧ポンプの運転を停止する異常停止手段を備えた請求項１記載の給水加圧装置。
【請求項３】
給水加圧ポンプと直流ブラシレスモータを一体構成とした請求項１または２記載の給水加圧装置。
【請求項４】
給水加圧ポンプの運転時間を検出し一定時間を経過すると報知信号を出力する運転時間検出手段を備えた請求項１〜３のいずれか１項記載の給水加圧装置。
【発明の詳細な説明】
【０００１】
【発明の属する技術分野】
本発明は給湯シャワーなどに使用される給水加圧装置に関するものである。
【０００２】
【従来の技術】
従来の給水加圧装置の一例として給水加圧ポンプについて、図３を用いて説明する。まず、図３は構成図である。
【０００３】
図３において、１は入水管、２は流量スイッチ、３は給水加圧ポンプで、３ａポンプと３ｂ交流ブラシモータで構成されている給水加圧ポンプ、４は制御部、５は運転スイッチ付き出力調整ボリューム、６は出水管を示し、入水管１への供給水は流量スイッチ２及び給水加圧ポンプ３を介して出水管６へ吐出される。そして、使用者が、運転スイッチ付き出力調整ボリューム５をオンし、入水管１より入水した水の流量が一定量以上となると流量スイッチ２がオンされ、制御部４が運転スイッチ付き出力調整ボリューム５及び流量スイッチ２がオンであることを判断した後、給水加圧ポンプ３を運転する。
【０００４】
【発明が解決しようとする課題】
しかしながら、従来の構成においては、給水圧力が低い場所では充分な流量の確保が出来ず、使用感がよくなかったり、流量スイッチがオンにならない程低水圧であれば使用できなかったりという問題点があった。また、給水加圧ポンプに交流ブラシモータを搭載しており、騒音が大きいため、使用時間や使用周囲の環境を気にしなければならなかった。
本発明は、上記従来の課題を解決するもので、給水圧力の低い場所においても充分な流量の確保が出来、使用時の駆動音の小さい給水加圧装置を提供することを目的としたものである。
【０００５】
【課題を解決するための手段】
上記課題を解決するため本発明の給水加圧装置は、入水部と、前記入水部での入水を検知する入水検知スイッチと、出水部と、入水部より入った水を前記出水部より加圧して出水する直流ブラシレスモータにより駆動される給水加圧ポンプと、給水加圧ポンプを商用電源で駆動するための電圧変換装置と、前記給水加圧ポンプの運転及び停止を行なう運転スイッチを備え、前記運転スイッチは入水検知スイッチと連動する構成とした。
【０００６】
上記発明によれば、入水流量に関係なくポンプが駆動され、加圧された水が出水するので、低水圧地域においても使用時に十分な流量となる。また、直流ブラシレスモータによるポンプ駆動により、駆動音の小さい給水加圧装置を実現できる。
【０００７】
【発明の実施の形態】
請求項１に記載の発明は、入水部と、前記入水部での入水を検知する入水検知スイッチと、出水部と、入水部より入った水を前記出水部より加圧して出水する直流ブラシレスモータにより駆動される給水加圧ポンプと、給水加圧ポンプを商用電源で駆動するための電圧変換装置と、前記給水加圧ポンプの運転及び停止を行なう運転スイッチを備え、前記運転スイッチは入水検知スイッチと連動する構成とした給水加圧装置。
【０００８】
そして、低水圧地域においても、条件に影響されることなく加圧されて使用に際して十分な出水が得られ、騒音が小さいので時間や周囲環境を気にすることなく使用できる。また、給水加圧ポンプ構成部品の長寿命化が図られるため、設置後に発生するポンプ構成部品交換等のメンテナンス回数も大幅に軽減できる。
【０００９】
また、請求項２に記載した発明は、給水加圧ポンプの異常運転時に、前記給水加圧ポンプの運転を停止する異常停止手段を備えた。
【００１０】
そして、給水加圧ポンプの異常時には異常停止手段により速やかに給水加圧ポンプを停止させることができる。
【００１１】
また、請求項３に記載した発明は、給水加圧ポンプと直流ブラシレスモータを一体構成とした。
【００１２】
そして、従来の商品に比べて部品点数が軽減されているため故障の頻度も大幅に軽減し、万が一故障した場合でも給水加圧装置内他部品への影響を最小限度に留めることができる。
【００１３】
また、請求項４に記載した発明は、給水加圧ポンプの運転時間を検出し一定時間を経過すると報知信号を出力する運転時間検出手段を備えた。
【００１４】
そして、給水加圧ポンプの消耗が予測される運転時間を経過すると報知する構成とし、ポンプの故障前に事前に使用者に報知して点検、取り替えを促すことができるので、メンテナンス性がよくなる。
【００１５】
【実施例】
以下本発明の実施例について、湯沸器に備えた形での実施形態を図面を参照しながら説明する。図１は本発明の実施例における給水加圧装置及びこれを備えた湯沸器の構成図、図２は本発明の実施例における同給水加圧装置の構成部品の一つである給水加圧ポンプの構成図である。
【００１６】
図１において、２１は入水管、２２は給水加圧ポンプ、２３は電圧変換装置、２４は制御部で状態判定部（図示せず）と表示制御部（図示せず）と異常停止手段（図示せず）と運転時間検出手段と（図示せず）通信部２５（図示せず）で構成され、２６は出水管、２７は操作部で運転スイッチ２７ａ及び出力調整スイッチ２７ｂで構成され、２８は表示部で運転ランプ２８ａで構成され、入水管２１への供給水は給水加圧ポンプ２２を介して出水管２６へ吐出され、湯沸器２９へ供給され、シャワーヘッド３０より吐水される。
【００１７】
また、湯沸器２９において、３１は供給水の止水栓、３２は流量スイッチ、３３は熱源出力調整ボリュームスイッチ、３４は熱源（ヒータ）である。ここで、操作部２７は湯沸器２９へ装着されている。図２で、ポンプ３５とモータ３６は、一体構成となっており、ポンプ３５は耐熱及び耐圧仕様で、モータ３６は直流ブラシレスモータである。
【００１８】
以上の構成において、通常使用時は、まず、止水栓３１を開栓する。そして、使用者が、操作部２７の運転スイッチ２７ａをオンすると、通信部２５を介して状態判定部２４ａが運転スイッチ２７ａがオンであることを判断した後、電圧変換装置２３を介した直流電圧により給水加圧ポンプ２２を運転し、表示制御部２４ｂからの信号により運転ランプ２８ａを点灯する。同時に、入水管２１を経由してシャワーヘッド３０より吐水され、その吐水による通水が流量スイッチ３２で確認されて、ヒータ３４への通電が開始され、熱源出力調整ボリュームスイッチ３３で設定した出力になるように熱源（ヒータ）３４の電力制御を行う。また、出力調整スイッチ２７ｂを操作することで、流量調整ができる。
【００１９】
このように、ポンプ制御部は直流ブラシレスモータ及び変圧装置で構成されている為、従来の交流モータ（直流モータに比べて大型）を備える攻勢と同程度またはそれ以下の小型化が図られており、かつ、給水加圧装置への構成も自由度が高くなる。よおて、使用者が使いやすい構成となっている。また、騒音が小さいため、時間や周囲環境を気にすることなくシャワーを使用できる。さらに、給水加圧ポンプ構成部品の長寿命化が図られるため、設置後に発生するポンプ構成部品交換等のメンテナンス回数も大幅に軽減できる。また、出力調整スイッチを操作することで、流量調整ができるため、使用者が最も心地よいシャワー圧力でシャワーを使用することができる。したがって、使用者の満足度も向上する。その上、運転スイッチの入力にのみポンプ駆動を連動させることで、極端に給水圧が低い場合でも充分なシャワー流量を確保できるようになる。
【００２０】
また、給水加圧ポンプ２２の異常時には、異常停止手段により、速やかにポンプ駆動を停止させることができる。
【００２１】
また、モータとポンプを一体構成とすることで、従来の商品に比べて部品点数が軽減されているため故障の頻度も大幅に軽減し、万が一故障した場合でも湯沸器内他部品への影響を最小限度に留めることができる。
【００２２】
また、運転時間検出手段により一定時間を経過すると報知信号を出力し、通信部２５は湯沸器本体の表示部２８に信号を出力して表示して使用者に給水加圧ポンプ２２の点検、取り替えを促すことが出来て、メンテナンス性がよくなる。
【００２３】
また、給水加圧ポンプ２２のポンプ部を耐熱及び耐圧仕様にしているため、万が一使用者がシャワーヘッドを誤って塞いだ場合等でも即座にポンプ部が破損することがなく安全である。また、断水等による逆流時にも熱源からの湯で破損することがない。
【００２４】
また、本実施例のように、別設の湯沸器との間で、給水加圧装置の運転状態を判定する状態判定部を設け判定結果を通信部２５により湯沸器の表示部で表示するようデータを送信する構成とすれば、給水加圧装置が水道管にとりつけられ、表示部２８を設けた湯沸器本体が使用端末部（例えばシャワー室）にあれば、使用者が使用中に給水加圧装置の状態を把握できて、非常に使い勝手がよくなる。
【００２５】
【発明の効果】
以上のように本発明によれば、入水流量に関係なくポンプが駆動され、加圧された水が出水するので、低水圧地域においても使用時に十分な流量となる。また、直流ブラシレスモータによるポンプ駆動により、駆動音の小さい給水加圧装置を実現できる。
【図面の簡単な説明】
【図１】本発明の実施例の給水加圧装置及びこれを備えた湯沸器の構成図
【図２】同給水加圧装置の構成部品の一つである給水加圧ポンプの構成図
【図３】従来の給水加圧装置の構成図
【符号の説明】
２１　入水部（入水管）
２２　給水加圧ポンプ
２３　電圧変換装置
２４　制御部（異常停止手段、運転時間検出手段）
２６　出水部（出水管）
２７ａ運転スイッチ
３６　直流ブラシレスモータ
【図１】
2004011484.tif 000003
【図２】
2004011484.tif 000004
【図３】
2004011484.tif 000005